(57)【要約】【課題】大容量データを１枚及び複数枚の記憶媒体への保存を簡単にする方法において、記憶媒体の情報にあったアイコンを出力し、データへ送信する事によって、データを利用者任意の記憶媒体に保存する事を可能にする事を目的とする。【解決手段】利用者側から保存要求が出されたら、記憶媒体がセットされたか監視する。記憶媒体がセットされたら、それにあったアイコン（保存用プログラム）を出力し、保存したいデータに送信する事によってデータを保存する事が出来る方法。【選択図】        図１
2004318387.tif 000002
【特許請求の範囲】
【請求項１】
入力装置より入力されたデータをパーソナルコンピュータに接続された単数及び複数の記憶装置へ保存する方法、
記憶媒体よりも複数のデータ容量のほうが大きかった時に任意の記憶媒体へデータを分別し保存する方法。
【発明の詳細な説明】
【０００１】
【発明の属する技術分野】
本発明はコンピュータ上で動作するソフトウェアを操作して入力したデータを利用者が保存したい記憶媒体に対してデータを保存する方法及び、記憶媒体の容量よりも複数のデータの容量の方が大きかったときの複数の記憶媒体へデータ保存する方法に関する。
【０００２】
【従来の技術】
近年のパーソナルコンピュータの利用方法において、入力装置を用いて入力したデータをパーソナルコンピュータ内のハードディスクに保存するだけでなく、配布や携帯をする為にデータを外部記憶媒体に保存するという行為は、一般化してきている。
【０００３】
デジタルカメラやデジタルビデオの高画質化、パーソナルコンピュータの高性能化に伴い、利用者が扱うデータ容量も大きくなってきている。
【０００４】
データ容量が大きくなってくると、データを保存するための記憶媒体もそれに伴い容量の大きい記憶媒体や小型の記憶媒体などデータを保存する種類が多種多様化してきている。
【０００５】
そうした背景の中で、利用者が保存したい記憶媒体に簡単に保存する方法の提供が要求されている。
【０００６】
従来の技術として例えば特開平５−１２７９５６号公報と言うようなものがある。
【０００７】
これはランダムアクセスメモリに格納された１組のデータを、フロッピー（Ｒ）ディスクの容量に合わせて分割し、分割されたデータをフロッピー（Ｒ）ディスク装置を介して複数のフロッピディスクに保存する方法が提案されている。
【０００８】
【発明が解決しようとする課題】
ところで上記で示した従来の方法には本問題点を解決するためには、下記記載の問題点がある。
【０００９】
問題点としては、利用者側の感覚として記憶媒体をセットし、データを記憶媒体ドライブのアイコンへ送るという方法ではこれから先記憶ドライブの種類が多くなって来た現在では、利用者側はどの記憶媒体にデータを送信してよいか分かりにくいという問題がある。
【００１０】
【課題を解決するための手段】
前記目的を達成するために、本発明のデータ保存方法は、記憶ドライブにセットされた記憶メディアにあったアイコンを表示し、そのアイコンを利用者任意のデータに持っていく事によってデータを利用者の目的にあった記憶媒体に保存する事が出来る事と、データ群の容量が記憶媒体の容量よりも大きかった時に、データの分別を気にする事無く記憶媒体をセットしてアイコンをデータ群に持っていくだけで残りのデータを保存する事が出来る事を特徴とする。
【００１１】
【発明の実施の形態】
本発明の好ましい実施の形態について説明する。本発明のデータ保存方法はその好ましい実施例として図１の様に複数の記憶ドライブ（図１の１６）と、オペレーティングシステム（図１の１３）と、データを入力するための入力装置（図１の１５）と、入力装置によって入力されたデータを任意の記憶媒体に保存する為のプログラムと、記憶媒体が記憶媒体にセットされたかどうかを監視する為のプログラムと、セットされた記憶媒体の情報によってアイコンを選択する為のプログラムの入ったソフト（図１の１１）と、記憶媒体に保存したいデータを格納しておくメモリ領域（図１の１２）と、を備えて構成する。
【００１２】
本発明のソフト（図１の１１）は、利用者が保存要求を出した時を条件にソフトウェアが起動する。ソフトが起動すると、オペレーティングシステム（図１の１３）に対して、記憶媒体がセットされたかどうかを監視する。利用者が記憶媒体をセットした時、記憶媒体の種類、容量を取得してその情報とあったアイコンを選択する機能を有する。
【００１３】
このアイコンには、利用者がセットした記憶媒体へ保存する為に必要なプログラムと、アイコンを保存したいデータに送信していった時に、保存データしたいデータを認識し、メモリ（図１の１２）に送信する為の機能を有している。
【００１４】
メモリ（図１の１２）は保存したいデータをソフトからの制御により記憶媒体の容量にあったファイル領域に整理、分割し収納しておく為の機能を有している。
【００１５】
図２は利用者がデータ保存要求を出して、記憶媒体を記憶ドライブにセットした時に利用者側に表示する画面の例である。
【００１６】
図２の様に利用者がセットした記憶媒体のアイコンをデータ群に送信していく事によって、現在セットされている記憶媒体と、記憶可能な記憶媒体を確認しながらデータを保存する事が出来る。
【００１７】
【実施例】
上記した本発明の実施形態について、さらに詳細に説明すべく、本発明の実施例について図面を参照して以下に詳細に説明する。
【００１８】
図１と図２は、本発明の一実施例の構成を示す図であり、記憶ドライブが２台の場合の構成を例に図に示したものである。
【００１９】
なお、本発明が記憶ドライブ２台に限定されないのは勿論である。アイコンの形状もこれに限定されないのも勿論である。
【００２０】
図３は、利用者が保存要求を出して記憶媒体をセットしてそれにあったアイコンを表示するまでのフローチャートである。
【００２１】
ＡとＢは図４のＡ、Ｂにつながっているが、分かりやすく説明するために図３と図４に分割した。
【００２２】
図３の１０１の保存要求は、データを保存したいとコンピュータに対して要求する行為を言い、この要求があったときに、図１のソフトが起動する。
【００２３】
ソフトが起動したら１０２へ移る。１０２のＯＳを監視と言うのは、コンピュータに接続された記憶ドライブに対して利用者が記憶媒体をセットしたかどうかを確認するプログラムの事を表している。
【００２４】
１０２のプログラムが起動したら、１０３の利用者に対して保存したい記憶媒体をセットするよう促すメッセージを表示する。
【００２５】
１０４は保存したい記憶媒体を利用者がセットする。
【００２６】
１０５は、利用者がセットした記憶媒体の情報を取得する。取得する情報は、記憶媒体の種類、保存可能容量である。
【００２７】
１０６は、もし利用者がセットした記憶媒体の保存可能容量がなかった時の条件式で、保存可能容量が無い時は、保存できないので１０３に戻る。
【００２８】
１０６で保存可能な記憶媒体と確認したら１０７で取得した記憶媒体の種類に応じたアイコンを選択する。
【００２９】
１０８は、もし利用者がセットした記憶媒体が新規の物でアイコンが無い時、１１０へ行く。
【００３０】
１１０はアイコンの無い記憶媒体全ての共通アイコンを表示する。なお記憶媒体にあったアイコンがある場合は、１０９へ行きアイコンを表示する。
【００３１】
アイコンを表示する際、順番は利用者が記憶媒体をセットした順、記憶容量が多い順などを選べる。
【００３２】
１１１は利用者が複数の記憶媒体を接続したい時は、１０３へ戻る。そうでない時は、図４のＡへ移動する。
【００３３】
図３により、記憶媒体へ保存する為のプログラムが入ったアイコンを表示してる状態になっている。利用者側の視点で表示したものは、図２である。
【００３４】
図４は、本発明の方式を用いた時のデータを保存する動作を表すフローチャートである。
【００３５】
１１２では、図３により表示したアイコンを利用者がどの記憶媒体（アイコン）に保存するかを選択する所である。
【００３６】
１１３では、利用者によって選択されたアイコンが図２の様に保存したいデータ群に送信された時に１１４では、図１のソフト内にあるデータの情報を取得するプログラムが作動する。保存したいデータ群の全容量と個々の容量を取得し、データの容量順にリストを作成する。
【００３７】
１１５では、１１４にて取得した、データ群の全容量と送信されたアイコンの記憶媒体の記憶可能容量とを比較する。
【００３８】
データの容量が記憶媒体の記憶可能容量よりも大きい時は、先ほどリスト化した情報を元に、記憶媒体の記憶可能容量に合わせて分別する。
【００３９】
そして、１１７で個々の記憶媒体にあった保存プログラムが起動して、各記憶媒体へ保存する。
【００４０】
１１８は、データが送信した記憶媒体の容量では足りずデータがまだ残っているかどうかの条件式である。もしデータが無かったら、本発明のデータ保存は終了する。
【００４１】
１１９はセットされたアイコンがまだあるかどうかを確かめ、アイコンがあるときは、１１２へ戻る。
【００４２】
データが残っていて１１９にアイコンがあるかどうか確認してもしアイコンがあった場合、１１２へ戻る。アイコンが無かった場合、１２０で保存をやめるかどうかの選択により保存をやめると選択した場合、本発明の保存を終了する。
【００４３】
保存を続けると選択した場合、図３の１０３へ戻って記憶媒体をセットする。
【００４４】
【発明の効果】
以上説明したように本発明によれば、入力装置によって入力されたデータ群を記憶媒体の記憶可能容量に合わせて分別し保存すると共に、複数の記憶ドライブが接続されていても、利用者が保存したい記憶媒体に簡単な操作で保存する事が可能になると言う効果がある。
【図面の簡単な説明】
【図１】本発明の１実施例の構成を示すブロック図である。
【図２】本発明の１実施例を説明するために利用者側に表示するアイコン例と利用者側の動作を示すである。
【図３】本発明の１実施例において、保存要求を出してから記憶媒体にあったアイコンを表示するまでの動作を示すフローチャートである。
【図４】本発明の１実施例において、アイコンが出力されてからデータを保存するまでの動作を示すフローチャートである。
【符号の説明】
１１  ソフト
１２  メモリ
１３  オペレーティングシステム
１４  入出力制御装置
１５  入力装置
１６  記憶ドライブ
１７  出力装置
【図１】
2004318387.tif 000003
【図２】
2004318387.tif 000004
【図３】
2004318387.tif 000005
【図４】
2004318387.tif 000006